(57)【要約】【課題】変調信号のピーク電力を抑圧しつつ、変調精度の劣化量を抑え、さらに帯域外輻射を低減する送信装置を得ること。【解決手段】本発明は、ディジタル変調信号に対して所定の送信信号生成処理を実行する送信信号生成手段を備えた送信装置であって、入力信号であるディジタル変調信号および予め取得しておいた送信信号生成手段の入出力特性を示す非線形情報に基づいて、送信信号生成手段が入力信号に対して送信信号生成処理を実行する際に発生する帯域外の歪み成分を生成する歪み成分生成手段（非線形処理部（２１），減算部（２２），減算部（２４），フィルタ部（２３））と、歪み成分生成手段へ入力されたディジタル変調信号から歪み成分生成手段が生成した帯域外の歪み成分を減算する減算部（２５）と、を備え、送信信号生成手段は、歪み成分減算後のディジタル変調信号に対して送信信号生成処理を実行する。【選択図】        図２
2008118552.tif 000002
【特許請求の範囲】
【請求項１】
ベースバンド帯域のディジタル変調信号に対して所定の送信信号生成処理を実行する送信信号生成手段を備えた送信装置であって、
入力信号であるベースバンド帯域のディジタル変調信号および予め取得しておいた前記送信信号生成手段の入出力特性を示す非線形情報に基づいて、前記送信信号生成手段が当該入力信号に対して送信信号生成処理を実行する際に発生する帯域外の歪み成分を生成する歪み成分生成手段と、
前記歪み成分生成手段へ入力されたベースバンド帯域のディジタル変調信号から前記歪み成分生成手段が生成した帯域外の歪み成分を減算する歪み成分減算手段と、
を備え、
前記送信信号生成手段は、前記歪み成分減算後のベースバンド帯域のディジタル変調信号に対して前記送信信号生成処理を実行することを特徴とする送信装置。
【請求項２】
前記歪み成分生成手段が、信号増幅処理に伴い発生する歪み成分を含んだ帯域外の歪み成分を生成することを特徴とする請求項１に記載の送信装置。
【請求項３】
前記歪み成分生成手段は、
前記非線形情報に基づいて、前記送信信号生成手段が実行する送信信号生成処理と同様の非線形処理を前記入力信号に対して実行する非線形処理実行手段と、
前記非線形処理実行手段の出力信号から前記入力信号を減算することにより前記非線形処理に伴い発生する歪み成分を抽出する第１の減算手段と、
前記第１の減算手段の出力信号から前記入力信号と同じ帯域内の歪み成分を抽出するフィルタ手段と、
前記第１の減算手段の出力信号から前記フィルタ手段の出力を減算することにより、帯域外の歪み成分を抽出する第２の減算手段と、
を備えることを特徴とする請求項１または２に記載の送信装置。
【請求項４】
さらに、
前記歪み成分減算手段の出力信号と、当該出力信号に対して前記送信信号生成手段が送信信号生成処理を実行して得られた送信信号と、に基づいて当該送信信号生成手段の入出力特性を示す非線形情報を生成出力する非線形情報生成出力手段、
を備え、
前記歪み成分生成手段は、前記予め取得しておいた非線形情報に代えて前記非線形情報生成出力手段から出力された非線形情報を使用して帯域外の歪み成分を生成することを特徴とする請求項１、２または３に記載の送信装置。
【請求項５】
前記非線形情報生成出力手段は、
前記歪み成分減算手段の出力信号を遅延させることにより、非線形情報を生成する際に使用する仮想入力信号を生成する遅延手段と、
前記送信信号生成手段の出力信号である送信信号に対して、当該送信信号を生成する際に行った送信信号生成処理と逆の処理を実行することにより、非線形情報を生成する際に使用する仮想出力信号を生成する仮想出力信号生成手段と、
前記仮想入力信号および前記仮想出力信号の入出力特性を生成し、当該生成した入出力特性を非線形情報として出力する非線形情報生成手段と、
を備えることを特徴とする請求項４に記載の送信装置。
【請求項６】
前記遅延手段は、前記歪み成分減算手段の出力信号が、当該出力信号に対応する前記仮想出力信号生成手段の出力信号と同じタイミングで前記非線形情報生成手段へ入力されるように遅延を与えることを特徴とする請求項５に記載の送信装置。
【請求項７】
前記非線形情報生成手段は、前記遅延器からの仮想入力信号の入力レベル範囲を一定間隔の複数ブロックに分割しておき、仮想入力信号が入力された場合には、当該仮想入力信号の振幅レベルがどのブロックに該当するかを判定し、信号振幅レベルが該当するブロック単位で非線形情報を生成することを特徴とする請求項５または６に記載の送信装置。
【発明の詳細な説明】
【技術分野】
【０００１】
本発明は、変調信号のピーク電圧を抑圧することが可能な送信装置に関するものであり、特に、ピーク電圧を抑圧した場合であっても、非線形な振幅制限処理に伴い発生する帯域外輻射を低減しつつピーク電力を抑圧し、さらに歪みを補償する送信装置に関するものである。
【背景技術】
【０００２】
マルチキャリア変調方式等の大きなピーク電力を有する変調信号のピーク電力を抑圧することが可能な従来の送信装置の一例が、下記非特許文献１に記載されている。以下、従来の送信装置について図８を用いて説明する。
【０００３】
図８は従来のマルチキャリア変調方式の変調信号のピーク電力を削減することが可能な送信装置の基本構成を示した図である。この従来の送信装置は、変調器９１と、クリップ部９２と、フィルタ部９３と、周波数変換部９４と、アンプ９５と、アンテナ９６と、を備える。
【０００４】
このような構成の送信装置において、変調器９１は、入力信号である送信データに対して変調処理を行う。また、変調器９１の出力は、クリップ部９２に入力され、クリップ部９２は、信号の時間波形に対して、ピーク電力を削減するためのクリッピング処理を実行する。ここで、クリップ部９２に対するサンプル毎の信号入力をｘ、クリッピングの振幅をＡとすると、クリッピング処理を実行して得られた信号であるクリップ部９２の出力信号ｙは、次式（１）で表される。
【０００５】
【数１】
2008118552.tif 000003
【０００６】
クリップ部９２の出力は、フィルタ部９３に入力される。フィルタ部９３では、入力信号に対してフィルタリングを行い、クリップ部９２において実行した非線形な振幅制限処理（クリッピング処理）により発生した帯域外輻射電力を抑圧する。フィルタ部９３の出力は周波数変換部９４に入力され、周波数変換部９４において高い周波数帯に周波数変換される。そして、周波数変換部９４の出力は、アンプ９５に入力され、信号が増幅された後、アンテナ９６を介して送信される。
【０００７】
【非特許文献１】「Effects  of  Clipping  and  Filtering  on  the  Performance  of  OFDM」  IEEE  Communications  Letters，vol.2  No.5，p.131-133，1998年5月
【発明の開示】
【発明が解決しようとする課題】
【０００８】
ところで、マルチキャリア変調された信号は、ピーク電力は平均電力に対して、非常に大きなものとなり、使用するキャリア数が大きいほど振幅の分布の広がりは大きくなる傾向にある。そのため、この大きなピーク電力に対応して歪みを抑えて送信を行う場合、送信アンプの線形な領域を使用する必要があり、大きなバックオフを設定する必要がある。しかしながら、大きなバックオフを設定すると、アンプの電力効率の低下を招くことになる、という問題があった。
【０００９】
また、上記非特許文献１に記載されているようなクリッピング処理を行うことにより、ピーク電力を抑圧することが可能であるが、クリッピング処理を実行すると帯域外輻射が生じる。そのため、一般に、クリッピング処理実行後の信号に対してフィルタリングを行うことにより帯域外輻射成分を制限する手法が採られる。しかしながら、クリッピング処理により生じた帯域内の歪み成分は、フィルタ通過後も残留するため、ピーク電力の抑圧量を大きくした場合、帯域内の歪みにより変調精度が劣化する、という問題があった。
【００１０】
また、一般的にアンプは、振幅および位相に関する入出力特性が非線形な特性を持ち、アンプの電力効率を改善するためにアンプの飽和領域付近まで使用する場合、アンプに対する歪み補償処理が必要となる。しかしながら、ピーク電力抑圧処理と歪み補償処理が独立している場合には、ピーク電力抑圧処理が行われた後の信号が歪み補償されたアンプに残留する非線形特性の影響を受けないように、バックオフのマージンを大きくする必要があり、電力効率の低下を招く、という問題があった。
【００１１】
本発明は、上記に鑑みてなされたものであって、ピーク電力が大きな変調信号を送信する送信装置において、変調信号のピーク電力を抑圧しつつ、変調精度の劣化量を抑えることが可能、かつ帯域外輻射の低減が可能な送信装置を得ることを目的とする。
【課題を解決するための手段】
【００１２】
上述した課題を解決し、目的を達成するために、本発明は、ベースバンド帯域のディジタル変調信号に対して所定の送信信号生成処理を実行する送信信号生成手段を備えた送信装置であって、入力信号であるベースバンド帯域のディジタル変調信号および予め取得しておいた前記送信信号生成手段の入出力特性を示す非線形情報に基づいて、前記送信信号生成手段が当該入力信号に対して送信信号生成処理を実行する際に発生する帯域外の歪み成分を生成する歪み成分生成手段と、前記歪み成分生成手段へ入力されたベースバンド帯域のディジタル変調信号から前記歪み成分生成手段が生成した帯域外の歪み成分を減算する歪み成分減算手段と、を備え、前記送信信号生成手段は、前記歪み成分減算後のベースバンド帯域のディジタル変調信号に対して前記送信信号生成処理を実行することを特徴とする。
【発明の効果】
【００１３】
この発明によれば、アンプの非線形特性を考慮して行った非線形処理の結果に基づいて、アンプ通過時に発生する帯域外の歪み成分を低減することが可能な歪み補償信号を付加した変調信号を生成することとしたので、送信信号が増幅される際の帯域外の歪みを低減させつつ、アンプの特性を利用してピーク電力を抑圧することができる、という効果を奏する。
【発明を実施するための最良の形態】
【００１４】
以下に、本発明にかかる送信装置の実施の形態を図面に基づいて詳細に説明する。なお、この実施の形態によりこの発明が限定されるものではない。たとえば、以下の説明においては、マルチキャリア変調方式の変調信号を送信する場合について述べるが、マルチキャリア変調方式の変調信号に限定されるものではない。
【００１５】
実施の形態１．
図１は、本発明にかかる送信装置の実施の形態１の構成例を示す図である。この送信装置は、変調部１と、歪み補償信号生成付加部２と、Ｄ／Ａ変換部３と、周波数変換部４と、アンプ５と、アンテナ６と、を備えている。変調部１は、入力信号である送信データに対して変調処理を実行し変調信号を生成する。歪み補償信号生成付加部２は、後述する歪み補償信号が付加された変調信号を生成する。その後、歪み補償信号が付加された変調信号は、Ｄ／Ａ変換部３においてアナログ信号に変換された後、周波数変換部４へ入力される。周波数変換部４は、入力信号をＲＦ帯の信号まで周波数変換し、アンプ５は、周波数変換部４からの出力信号を増幅する。そして、増幅された信号は、アンテナ６を介して送信される。
【００１６】
また、図２は、歪み補償信号生成付加部２の構成例を示す図である。また、図３−１および図３−２は、送信側のアンプ（アンプ５）の入出力特性を示しており、それぞれ、ＡＭ−ＡＭ特性、ＡＭ−ＰＭ特性を示している。本発明にかかる送信装置は、このアンプの入出力特性を利用して、変調信号のピーク電力を抑圧する。
【００１７】
図２に示した歪み補償信号生成付加部２は、予め測定等を行い取得しておいたアンプ・アナログデバイス等に関する非線形情報（たとえば、上記アンプ５の入出力特性であるＡＭ−ＡＭ特性，ＡＭ−ＰＭ特性など）に基づいた非線形処理を入力信号に対して実行することにより、アンプ通過時の歪み成分を有するとともに、アンプの非線形特性に応じてピーク電力が抑圧された変調信号を生成する非線形処理部２１と、非線形処理部２１の出力から元の変調信号を減算することで上記アンプ５通過時の歪み成分を抽出する減算部２２と、前記減算部２２の出力から帯域内の歪み成分を抽出するフィルタ部２３と、前記減算部２２の出力からフィルタ部２３の出力を減算する減算部２４と、元の変調信号（歪み補償信号生成付加部２への入力信号）から前記減算部２４の出力を減算することにより、アンプ通過時に帯域外の歪み成分を減衰させるための信号（歪み補償信号）が付加された変調信号を生成する減算部２５と、を備えている。なお、非線形処理部２１、減算部２２、フィルタ部２３および減算部２４が歪み成分生成手段を構成し、減算部２５が歪み成分減算手段を構成する。
【００１８】
図４−１〜図４−６は、本実施の形態の歪み補償信号生成付加部２の動作を説明するための図であり、図２に示した信号Ｓ１〜Ｓ６のスペクトラム特性をそれぞれ示している。図４−１は、一例として、変調をマルチキャリア変調とした場合に、歪み補償信号生成付加部２に入力される信号Ｓ１のスペクトラム特性である。図４−２は、非線形処理部２１から出力される信号Ｓ２の信号のスペクトラム特性である。図４−３は、減算部２２から出力される信号Ｓ３のスペクトラム特性である。図４−４は、フィルタ部２３から出力される信号Ｓ４のスペクトラム特性である。図４−５は、減算部２４から出力される信号Ｓ５のスペクトラム特性である。図４−６は、減算部２５から出力される信号Ｓ６のスペクトラム特性である。
【００１９】
以下、図２および図４−１〜図４−６を用いて、本発明にかかる送信装置の特徴的な動作を行う歪み補償信号生成付加部２の動作について説明する。変調部１から出力された変調信号は、信号Ｓ１として歪み補償信号生成付加部２に入力される。ここでは、ピーク電力の大きな変調信号として、マルチキャリア変調であるＯＦＤＭを想定して説明を行う。
【００２０】
歪み補償信号生成付加部２において、非線形処理実行手段に相当する非線形処理部２１は、図３−１および図３−２に示されるようなアンプ・アナログデバイス等の非線形情報（ＡＭ−ＡＭ特性、ＡＭ−ＰＭ特性など）およびアンプの動作点に関する信号入力レベル情報に基づいて、入力信号Ｓ１（スペクトラム特性は図４−１）に対して非線形処理を実行する。なお、ここで実行する非線形処理は、たとえばアンプ５において実行される信号増幅処理と同様の処理である。この非線形処理により、ピーク抑圧された信号Ｓ２が生成される。非線形処理部２の出力信号Ｓ２のスペクトラム特性は、非線形処理により帯域内・帯域外で歪みが発生するため、図４−２に示したように帯域外輻射が発生したスペクトラムとなる。
【００２１】
なお、ここではアンプ５の入出力特性を非線形情報として処理を行っているが、歪み補償信号生成付加部２の後段に位置するＤ／Ａ変換部３、周波数変換部４およびアンプ５を一つのデバイスとみなして、このデバイスに対する入出力特性を非線形情報として処理を行うようにしてもよい。
【００２２】
つぎに、非線形処理部２１の出力信号Ｓ２および元の信号Ｓ１は、減算器２２に入力される。減算器２２は、信号Ｓ２から信号Ｓ１を減算することにより、非線形処理部２１を通過する際に発生した歪み成分を抽出する。減算器２２の出力信号Ｓ３のスペクトラム特性は、図４−３に示したように、上記非線形情報に基づいた非線形処理により帯域内・外で生じた歪み成分のスペクトラムとなる。言い換えれば、変調信号（信号Ｓ１）がアンプ等の非線形特性に基づいて歪ませられることにより、変調信号のピーク電力が抑圧されることになる。一般に無線通信では、隣接チャネルに対する干渉とならないように、帯域外輻射は規格等で定められたレベル以下に抑える必要がある。一方、帯域内の歪みに関しては、変調精度で規定されているが、帯域外輻射に関する規定よりも条件が厳しくない。そのため、本発明においては、変調信号のピーク電力を抑圧するために、帯域内の歪み成分を残留させることとして、帯域外の歪み成分を抑圧する。これを実現するために必要な、帯域外の歪み成分のみを抽出する方法、および抽出した帯域外の歪み成分を用いて歪み補償信号を生成する方法を以下に説明する。
【００２３】
減算器２２の出力信号Ｓ３は、フィルタ部２３および減算器２４に入力される。フィルタ部２３は、入力信号Ｓ３から元の変調信号Ｓ１の帯域内における歪み成分の信号を抽出する。そのため、フィルタ部２３は、図４−４の実線で示したような、元の変調信号のスペクトラム（図４−１参照）と歪み成分の信号のスペクトラム（図４−３参照）がほぼ重なる部分に相当するスペクトラム形状を有するフィルタにより帯域制限処理を行う。このような条件のスペクトラムを有するフィルタ部２３を実現するための一手段として、ＦＩＲフィルタが考えられる。
【００２４】
フィルタ部２３の出力信号Ｓ４は、減算器２２の出力信号Ｓ３とともに減算器２４に入力される。減算器２４は、信号Ｓ３から信号Ｓ４を減算することにより、図４−５に示したようなスペクトラム形状を有する、変調信号の帯域外成分の信号Ｓ５を抽出する。
【００２５】
減算器２４の出力信号Ｓ５は、元の変調信号Ｓ１とともに減算器２５に入力される。減算器２５は、信号Ｓ１からＳ５を減算することにより、図４−６に示したようなスペクトラム形状を有する、歪み補償信号が付加された変調信号Ｓ６を抽出する。図４−６に示した信号Ｓ６のスペクトラムと図４−２に示した信号Ｓ２のスペクトラムは電力的には同じ形状を示しているが、帯域外の歪み成分に相当する信号については、正と負の符号が反転したものとなっており、アンプ通過時に発生する元の変調信号に対する帯域外の歪みを補償する信号になっている。
【００２６】
歪み補償信号生成付加部２の出力信号Ｓ６は、Ｄ／Ａ変換部３に入力され、アナログ信号に変換された後、周波数変換部４に入力される。周波数変換部４は、Ｄ／Ａ変換部３の出力をＲＦ帯まで周波数変換を行い、周波数変換後の信号は、アンプ５に入力される。アンプ５は、周波数変換部４の出力信号を増幅するが、アンプ５自身が図３に示したような非線形な特性を持つため、非線形歪みの影響を受ける。図５−１および図５−２は、それぞれアンプ５通過前の信号のスペクトラム特性およびアンプ５通過後の信号のスペクトラム特性を示している。アンプ５通過前の信号のスペクトラム（図５−１）は、元の変調信号のスペクトラムに対して、上述した帯域外の歪みを補償する信号のスペクトラムが付加されたものとなっている。また、アンプ５通過前の信号では、帯域内の歪み成分がフィルタ部２３により抑圧されたものとなっている。そのため、アンプ５通過後には、図４−３に示したような歪みが発生するが、帯域外の歪み成分は、ひずみ補償信号（上記帯域外の歪みを補償する信号）により低減され、図５−２に示したように帯域外成分が十分に減少した信号となる。
【００２７】
このように、本実施の形態において歪み補償信号生成付加部は、アンプの非線形特性を変調信号のピーク電力の抑圧に利用することとした。すなわち、変調信号に対してアンプに模擬した非線形処理を予め行うことにより一種のピーク抑圧後の信号を生成し、この信号を使用して、アンプにおける増幅処理により発生する帯域外の歪みを低減可能な歪み補償信号が付加された変調信号を生成することとした。そして、歪み補償信号が付加された変調信号を増幅して送信することとした。これにより、変調信号の変調精度の劣化を極力抑え、アンプの特性に応じたピーク電力の抑圧を行いつつ、帯域外輻射を低減可能な送信装置を得ることができる。
【００２８】
実施の形態２．
つづいて、実施の形態２について説明する。実施の形態１においては、予め測定などを行い取得した非線形情報（ＡＭ−ＡＭ特性、ＡＭ−ＰＭ特性など）を使用してピーク電力を抑圧する送信装置の動作について説明を行ったが、本実施の形態においては、必要に応じて非線形情報を更新し、更新後の非線形情報を使用してピーク電力を抑圧する送信装置の動作について説明を行う。
【００２９】
図６は、実施の形態２の送信装置の構成例を示す図である。本実施の形態の送信装置は、上述した実施の形態１の送信装置に対して、遅延器１１、非線形情報生成部１２、Ａ／Ｄ変換部１３、周波数変換部１４および減衰器１５が追加された構成となる。なお、その他の部分については、実施の形態１の送信装置と同様であるため、同一の符号を付与してその説明は省略する。また、歪み補償信号生成付加部の構成は実施の形態１の歪み補償信号生成付加部２と同様である。上述したように、歪み補償信号生成付加部の動作は、使用する非線形情報が時間経過とともに変動する（更新される）点を除けば、実施の形態１の歪み補償信号生成付加部と同様である。そのため、本実施の形態においては送信装置が非線形情報を更新する動作を中心に説明を行う。なお、遅延器１１、非線形情報生成部１２、Ａ／Ｄ変換部１３、周波数変換部１４および減衰器１５が非線形情報生成出力手段を構成する。
【００３０】
本実施の形態の送信装置が備える非線形情報生成部１２は、Ｄ／Ａ変換部３への入力信号とＡ／Ｄ変換部１３の出力信号を比較することで、非線形情報（ＡＭ−ＡＭ特性、ＡＭ−ＰＭ特性など）を時間とともに更新する。以下、非線形情報の更新動作を説明する。
【００３１】
実施の形態１において説明した動作を実行して生成された送信信号（アンプ５の出力）は、分岐されて減衰器１５に入力される。減衰器１５は、アンプ５の信号出力を適切なレベル（たとえば、アンプ５で増幅される前のレベル）まで減衰した後、周波数変換部１４に対して出力する。周波数変換部１４は、減衰器１５から出力されたＲＦ帯の変調信号をベースバンド帯域の信号に変換した後、Ａ／Ｄ変換部１３に対して出力する。Ａ／Ｄ変換部１３は、周波数変換部１４から出力されたベースバンド帯域のアナログ信号をディジタル信号に変換する。なお、これらの減衰器１５、周波数変換部１４およびＡ／Ｄ変換部１３が仮想出力信号生成手段を構成する。
【００３２】
Ａ／Ｄ変換部１３の出力は、非線形情報生成部１２に入力される。また、非線形情報生成部１２には、遅延器１１を通して歪み補償信号生成付加部２の出力も入力される。ただし、遅延器１１は、非線形情報生成部１２に入力される歪み補償信号生成付加部２の出力信号とＡ／Ｄ変換部１３の出力信号が同じタイミングとなるように遅延量が設定されている。非線形情報生成部１２は、Ａ／Ｄ変換部１３から入力された信号および遅延器１１を介して歪み補償信号生成付加部２から入力された信号に基づいて非線形情報を生成する。具体的には、遅延調整された歪み補償信号生成付加部２の出力信号を“入力”とし、Ａ／Ｄ変換部１３の出力信号を“出力”とする入出力特性（ＡＭ−ＡＭ特性、ＡＭ−ＰＭ特性など）を生成する。なお、非線形情報生成部へ入力される２つの信号レベルは入出力特性を生成するための条件として平均電力が等しくなるように、信号電力が自動利得制御（ＡＧＣ：Auto  Gain  Control）等により制御されているものとする。
【００３３】
上記非線形情報（入出力特性）の生成方法を詳しく説明する。遅延器１１の出力信号（入力であり、複素信号）を“ｘ(ｋ)”とし、Ａ／Ｄ変換部１３の出力信号（出力であり、複素信号）を“ｙ(ｋ)”とすると、入力と出力の関係は次式（２）で示される。ただし、“ｋ”はサンプル時刻を表す。
ｙ(ｋ)＝Ｗ(ｋ)・ｘ(ｋ)                                  …（２）
ここで、“Ｗ(ｋ)”はアンプ・アナログデバイス等によって生じる非線形性に関する入出力特性（ＡＭ−ＡＭ特性、ＡＭ−ＰＭ特性など）の影響を示した複素ウエイトであり、次式（３）で示される。
Ｗ(ｋ)＝（ｙ(ｋ)・ｘ(ｋ)*）／|ｘ(ｋ)|2＝Ｒ(ｋ)・exp(ｊΔθ(ｋ)）    …（３）
ただし、“Ｒ(ｋ)”は振幅であり、“Δθ(ｋ)”は位相である。また、‘＊’は複素共役を示す。ここで、“Ｒ(ｋ)”、“Δθ(ｋ)”は、上式（３）に示されるように、主としてアンプに入力される信号振幅レベル（|ｘ(ｋ)|）に依存する。
【００３４】
ところで、複素ウエイト（Ｗ(ｋ)）を算出する際には、実際のアンプ・アナログ系では温度変化・熱雑音等の影響によりＡＭ−ＡＭ特性，ＡＭ−ＰＭ特性が変動する。そのため非線形情報生成部１２は、信号振幅レベル（|ｘ(ｋ)|）に応じて上記特性変動に追従しながら平均化処理を行う必要がある。これを実現するために、まず、遅延調整された歪み補償信号生成付加部２の出力信号を“入力側信号”、Ａ／Ｄ変換部１３の出力信号を“出力側信号”と定義する。また、高い精度の入出力特性を得るため、図７に示したように、入力側信号の振幅レベルに対応して入力レベル範囲をＮ個の細かいブロックに分割する。なお、図７は、信号の入力レベル（|ｘ(ｋ)|）をＮ個のブロックに分割する様子を示した図である。そして、ある時刻ｋの入力側信号サンプルの振幅（|ｘ(ｋ)|）が、例えば“（Ｎ−３）・Δ”に対応した入力レベルの場合には、“（Ｎ−３）・Δ”に該当するブロックの平均化処理のみを行い入出力特性を生成し、生成した入出力特性（ＡＭ−ＡＭ特性、ＡＭ−ＰＭ特性）の影響を示した複素ウエイトを生成する。このときの複素ウエイト（Ｗm）は、次式（４）で表される。
【００３５】
Ｗm＝（１−α）・Ｗm＋α・｛（ｙ(ｋ)・ｘ(ｋ)*）／|ｘ(ｋ)|2｝          …（４）
ここで、０≦ｍ≦Ｎであり、上記説明の“（Ｎ−３）・Δ”に該当するブロックでは、ｍ＝Ｎ−３となる。また、α＜１である。さらに、上式（４）における（１／|ｘ(ｋ)|2）の処理は、該当するブロックｍに対して、事前にＮ個分のデータＺm（０≦ｍ≦Ｎ）を例えばテーブル形式で準備することで、除算処理を行う必要がなくなる。従って、式（４）は、次式（５）で表すことが可能となる。
Ｗm＝（１−α）・Ｗm＋α・｛（ｙ(ｋ)・ｘ(ｋ)*）・Ｚm｝            …（５）
ただし、ｍ・Δ≦|ｘ(ｋ)|＜（ｍ＋１）・Δである。
【００３６】
非線形情報生成部１２は、上式（５）で得られたＷm（０≦ｍ≦Ｎ）をアンプ・アナログデバイス等の非線形情報として、歪み補償信号生成付加部２に対して出力する。図１に示した歪み補償信号生成付加部２の非線形処理部２１は、入力された非線形情報のｍ・Δ≦|ｘ(ｋ)|＜（ｍ＋１)・Δの範囲に該当するＷmを選択して、ｘ(ｋ)に乗算することで、非線形処理を行う。非線形処理結果を“Ｃ(ｋ)”（ただし、ｋはサンプル番号であり、複素信号）とすると、“Ｃ(ｋ)”は次式（６）のように表される。
Ｃ(ｋ)＝Ｗm・ｘ(ｋ)，０≦ｍ≦Ｎ                                    …（６）
【００３７】
このように、本実施の形態の送信装置においては、非線形情報生成部が温度変化によるアンプ・アナログデバイス等の非線形特性の変化に対応させて非線形情報を更新し、更新後の非線形情報を歪み補償信号生成付加部に対して出力することとした。これにより、アンプ・アナログデバイス等の非線形特性の時間変動に追従させた最適な非線形情報を使用してピーク電力抑圧および歪み補償を行うことができる。
【産業上の利用可能性】
【００３８】
以上のように、本発明にかかる送信装置は、無線通信に有用であり、特に、非線形な振幅制限である送信信号のピークレベル抑圧処理において、帯域外輻射の発生を抑えつつ歪みを補償することが可能な送信装置に適している。
【図面の簡単な説明】
【００３９】
【図１】本発明にかかる送信装置の実施の形態１の構成例を示す図である。
【図２】歪み補償信号生成付加部の構成例を示す図である。
【図３−１】送信機が備えたアンプの入出力特性（ＡＭ−ＡＭ特性）例を示した図である。
【図３−２】送信機が備えたアンプの入出力特性（ＡＭ−ＰＭ特性）例を示した図である。
【図４−１】信号Ｓ１のスペクトラム特性例を示す図である。
【図４−２】信号Ｓ２のスペクトラム特性例を示す図である。
【図４−３】信号Ｓ３のスペクトラム特性例を示す図である。
【図４−４】信号Ｓ４のスペクトラム特性例を示す図である。
【図４−５】信号Ｓ５のスペクトラム特性例を示す図である。
【図４−６】信号Ｓ６のスペクトラム特性例を示す図である。
【図５−１】アンプ通過前の信号のスペクトラム特性例を示す図である。
【図５−２】アンプ通過後の信号のスペクトラム特性例を示す図である。
【図６】本発明にかかる送信装置の実施の形態２の構成例を示す図である。
【図７】非線形情報生成部における非線形情報生成動作を説明するための図である。
【図８】従来のマルチキャリア変調方式の変調信号のピーク電力を削減することが可能な送信装置の基本構成を示した図である。
【符号の説明】
【００４０】
１  変調部
２  歪み補償信号生成付加部
３  Ｄ／Ａ変換部
４、１４、９４  周波数変換部
５、９５  アンプ
６、９６  アンテナ
１１  遅延器
１２  非線形情報生成部
１３  Ａ／Ｄ変換部
１５  減衰器
２１  非線形処理部
２２、２４、２５  減算部
２３、９３  フィルタ部
９１  変調器
９２  クリップ部
【図１】
2008118552.tif 000004
【図２】
2008118552.tif 000005
【図３−１】
2008118552.tif 000006
【図３−２】
2008118552.tif 000007
【図４−１】
2008118552.tif 000008
【図４−２】
2008118552.tif 000009
【図４−３】
2008118552.tif 000010
【図４−４】
2008118552.tif 000011
【図４−５】
2008118552.tif 000012
【図４−６】
2008118552.tif 000013
【図５−１】
2008118552.tif 000014
【図５−２】
2008118552.tif 000015
【図６】
2008118552.tif 000016
【図７】
2008118552.tif 000017
【図８】
2008118552.tif 000018